【手続補正書】
【提出日】平成17年11月11日(2005.11.11)
【手続補正１】
【補正対象書類名】明細書
【補正対象項目名】発明の名称
【補正方法】変更
【補正の内容】
【発明の名称】電源装置及び電子制御装置
【手続補正２】
【補正対象書類名】明細書
【補正対象項目名】特許請求の範囲
【補正方法】変更
【補正の内容】
【特許請求の範囲】
【請求項１】電源からの電圧を制御して第１電源および第２電源として電圧を各々出力可能なものであって、
電源制御信号に基づき、当該電源制御信号が第１の状態を示すものであれば、
前記第１電源および第２電源の電圧を共に出力するとともに、
前記第１電源の電圧を監視電圧として電源電圧を制御し、
前記電源制御信号が第２の状態を示すものであれば、
前記第１電源の電圧の出力を遮断し第２電源の電圧を出力するとともに、
当該第２電源の電圧を監視電圧として電源電圧を制御するレギュレータ手段を備えた電源装置において、
前記第１電源の出力状態を監視する監視手段と、
前記監視手段の監視結果に基づいて前記レギュレータ手段に与える監視電圧を前記第１電源の電圧から前記第２電源の電圧に切り替える切替手段と、
を備えたことを特徴とする電源装置。
【請求項２】前記監視手段は、前記第１電源の電圧が規定値以下の電圧であることを検出する電圧検出手段であって、
前記切替手段は、前記電圧検出手段により前記規定値以下の電圧が検出された場合に、前記監視電圧を前記第１電源の電圧から前記第２電源の電圧に切り替えることを特徴とする請求項１に記載の電源装置。
【請求項３】  前記監視手段は、前記第１電源を流れる規定値を超える負荷電流を検出する電流検出手段であって、
前記切替手段は、前記電流検出手段により前記規定値を超える負荷電流が検出された場合に、前記監視電圧を前記第１電源の電圧から前記第２電源の電圧に切り替えることを特徴とする請求項１に記載の電源装置。
【請求項４】  前記監視手段は、前記第１電源の電圧と前記第２電源電圧との差電圧が規定値を超えることを検出する差電圧検出手段であって、
前記切替手段は、前記差電圧検出手段により前記規定値を超える差電圧が検出された場合に、前記監視電圧を前記第１電源の電圧から前記第２電源の電圧に切り替えることを特徴とする請求項１に記載の電源装置。
【請求項５】  電源からの電圧を制御して第１電源および第２電源として電圧を各々出力可能なものであって、
電源制御信号に基づき、当該電源制御信号が第１の状態を示すものであれば、
前記第１電源および第２電源の電圧を共に出力するとともに、
前記第１電源の電圧を監視電圧として電源電圧を制御し、
前記電源制御信号が第２の状態を示すものであれば、
前記第１電源の電圧の出力を遮断し第２電源の電圧を出力するとともに、
当該第２電源の電圧を監視電圧として電源電圧を制御するレギュレータ手段を備えた電源装置において、
前記第２電源の電圧が規定値以上の電圧であることを検出する電圧検出手段と、
前記電圧検出手段の検出信号を受けて前記レギュレータ手段に与える監視電圧を前記第１電源の電圧から前記第２電源の電圧に切り替える切替手段と、
を備えたことを特徴とする電源装置。
【請求項６】  前記監視電圧を前記第１電源の電圧から前記第２電源の電圧に切り替える状態を切替開始時から所定時間保持する手段を、さらに備えたことを特徴とする請求項１〜５のいずれか一つに記載の電源装置。
【請求項７】  前記監視電圧を前記第１電源の電圧から前記第２電源の電圧に切り替える動作にヒステリシス特性を付与する手段を、さらに備えたことを特徴とする請求項１〜５のいずれか一つに記載の電源装置。
【請求項８】  電源からの電圧を制御して第１電源および第２電源として電圧を各々出力可能なものであって、
電源制御信号に基づき、当該電源制御信号が第１の状態を示すものであれば、前記第１電源および第２電源の電圧を共に出力するとともに、前記第１電源の電圧を監視電圧として電源電圧を制御し、前記電源制御信号が第２の状態を示すものであれば、前記第１電源の電圧の出力を遮断し第２電源の電圧を出力するとともに、当該第２電源の電圧を監視電圧として電源電圧を制御するレギュレータ手段を備えた電源装置において、
規定値を超えて上昇する前記第２電源の電圧を当該第２電源に接続される負荷の耐圧以下にクランプするクランプ手段を備えたことを特徴とする電源装置。
【請求項９】  前記クランプ手段は、前記第２電源の電圧が規定値を超えて上昇するとき、当該第２電源と前記第１電源の電圧を生成する抵抗分圧回路との間に前記第１電源の電圧を上昇させる電流を供給する電流路を形成することで、前記第２電源の電圧を所定値にクランプする電流路形成手段を備えたことを特徴とする請求項８に記載の電源装置。
【請求項１０】  前記クランプ手段は、前記電流路形成手段の動作によって実現される前記第２電源の電圧が前記基準電圧と前記抵抗分圧回路の抵抗値とによって決定されるように前記電流路形成手段を制御する制御手段を、さらに備えたことを特徴とする請求項９に記載の電源装置。
【請求項１１】  規定値を超えて上昇する前記第２電源の電圧を当該第２電源に接続される負荷回路の耐圧以下にクランプするクランプ手段を、さらに備えたことを特徴とする請求項１に記載の電源装置。
【請求項１２】電源からの電圧を制御して第１電源および第２電源として電圧を各々出力可能な電源装置であって、
電源制御信号に応じて、
前記第１電源および第２電源の電圧を共に出力するとともに、
前記第１電源の電圧を監視電圧として電源電圧を制御し、又は、
前記第１電源の電圧の出力を遮断し第２電源の電圧を出力するとともに、
該第２電源の電圧を監視電圧として電源電圧を制御するレギュレータ手段と、
前記第１電源の出力状態を監視する監視手段と、
前記監視手段の監視結果に基づいて前記レギュレータ手段に与える監視電圧を前記第１電源の電圧から前記第２電源の電圧に切り替える切替手段と、
を備えた電源装置。
【請求項１３】負荷を制御するマイクロコンピュータと、
電源制御信号に応じて、第１電源および第２電源の電圧を共に前記マイクロコンピュータに出力するとともに、前記第１電源の電圧を監視電圧として電源電圧を制御し、又は、前記第１電源の電圧の出力を遮断し第２電源の電圧を前記マイクロコンピュータに出力するとともに、該第２電源の電圧を監視電圧として電源電圧を制御するレギュレータ手段と、前記第１電源の出力状態を監視する監視手段と、前記監視手段の監視結果に基づいて前記レギュレータ手段に与える監視電圧を前記第１電源の電圧から前記第２電源の電圧に切り替える切替手段とを備えた電源装置と、
を備えた電子制御装置。
【請求項１４】ドライバ回路と、
前記ドライバ回路を介して負荷を制御するマイクロコンピュータと、
電源制御信号に応じて、第１電源および第２電源の電圧を共に前記マイクロコンピュータに出力するとともに、前記第１電源の電圧を監視電圧として電源電圧を制御し、又は、前記第１電源の電圧の出力を遮断し第２電源の電圧を前記マイクロコンピュータに出力するとともに、該第２電源の電圧を監視電圧として電源電圧を制御するレギュレータ手段と、前記第１電源の出力状態を監視する監視手段と、前記監視手段の監視結果に基づいて前記レギュレータ手段に与える監視電圧を前記第１電源の電圧から前記第２電源の電圧に切り替える切替手段とを備えた電源装置と、
を備えた電子制御装置。
【請求項１５】電源からの電圧を制御して第１電源および第２電源として電圧を各々出力可能な電源装置であって、電源制御信号に応じて、前記第１電源および第２電源の電圧を共に出力するとともに、前記第１電源の電圧を監視電圧として電源電圧を制御し、又は、前記第１電源の電圧の出力を遮断し第２電源の電圧を出力するとともに、該第２電源の電圧を監視電圧として電源電圧を制御するレギュレータ手段と、前記第１電源の出力状態を監視する監視手段と、前記監視手段の監視結果に基づいて前記レギュレータ手段に与える監視電圧を前記第１電源の電圧から前記第２電源の電圧に切り替える切替手段とを備えた電源装置と、
前記第２電源より電圧を供給され、負荷を制御する過程で学習データを得るマイクロコンピュータと、
前記第１電源より電圧を供給され、前記学習データを保存するメモリと、
を備えた電子制御装置。
【手続補正３】
【補正対象書類名】明細書
【補正対象項目名】００４１
【補正方法】変更
【補正の内容】
【００４１】
つぎの発明にかかる電源装置は、電源からの電圧を制御して第１電源および第２電源として電圧を各々出力可能な電源装置であって、電源制御信号に応じて、前記第１電源および第２電源の電圧を共に出力するとともに、前記第１電源の電圧を監視電圧として電源電圧を制御し、又は、前記第１電源の電圧の出力を遮断し第２電源の電圧を出力するとともに、
該第２電源の電圧を監視電圧として電源電圧を制御するレギュレータ手段と、前記第１電源の出力状態を監視する監視手段と、前記監視手段の監視結果に基づいて前記レギュレータ手段に与える監視電圧を前記第１電源の電圧から前記第２電源の電圧に切り替える切替手段と、を備えた電源装置である。
この発明によれば、第１電源の出力状態を監視し、この監視手段の監視結果に基づいて、第１電源が何らの原因で規定値以下の電圧しか出力できない状態となっている場合には、レギュレータ手段に与える監視電圧を第１電源の電圧から第２電源の電圧に切り替える。その結果、第２電源の電圧上昇が抑制され、接続される負荷回路の破壊を防止できる。
つぎの発明にかかる電子制御装置は、負荷を制御するマイクロコンピュータと、電源制御信号に応じて、第１電源および第２電源の電圧を共に前記マイクロコンピュータに出力するとともに、前記第１電源の電圧を監視電圧として電源電圧を制御し、又は、前記第１電源の電圧の出力を遮断し第２電源の電圧を前記マイクロコンピュータに出力するとともに、該第２電源の電圧を監視電圧として電源電圧を制御するレギュレータ手段と、前記第１電源の出力状態を監視する監視手段と、前記監視手段の監視結果に基づいて前記レギュレータ手段に与える監視電圧を前記第１電源の電圧から前記第２電源の電圧に切り替える切替手段とを備えた電源装置と、を備えた電子制御装置である。
この発明によれば、第１電源の出力状態を監視し、この監視手段の監視結果に基づいて、第１電源が何らの原因で規定値以下の電圧しか出力できない状態となっている場合には、レギュレータ手段に与える監視電圧を第１電源の電圧から第２電源の電圧に切り替える。その結果、第２電源の電圧上昇が抑制され、接続される負荷回路の破壊を防止できる。
つぎの発明にかかる電子制御装置は、ドライバ回路と、前記ドライバ回路を介して負荷を制御するマイクロコンピュータと、電源制御信号に応じて、第１電源および第２電源の電圧を共に前記マイクロコンピュータに出力するとともに、前記第１電源の電圧を監視電圧として電源電圧を制御し、又は、前記第１電源の電圧の出力を遮断し第２電源の電圧を前記マイクロコンピュータに出力するとともに、該第２電源の電圧を監視電圧として電源電圧を制御するレギュレータ手段と、前記第１電源の出力状態を監視する監視手段と、前記監視手段の監視結果に基づいて前記レギュレータ手段に与える監視電圧を前記第１電源の電圧から前記第２電源の電圧に切り替える切替手段とを備えた電源装置と、を備えた電子制御装置である。
この発明によれば、第１電源の出力状態を監視し、この監視手段の監視結果に基づいて、第１電源が何らの原因で規定値以下の電圧しか出力できない状態となっている場合には、レギュレータ手段に与える監視電圧を第１電源の電圧から第２電源の電圧に切り替える。その結果、第２電源の電圧上昇が抑制され、接続される負荷回路の破壊を防止できる。
つぎの発明にかかる電子制御装置は、電源からの電圧を制御して第１電源および第２電源として電圧を各々出力可能な電源装置であって、電源制御信号に応じて、前記第１電源および第２電源の電圧を共に出力するとともに、前記第１電源の電圧を監視電圧として電源電圧を制御し、又は、前記第１電源の電圧の出力を遮断し第２電源の電圧を出力するとともに、該第２電源の電圧を監視電圧として電源電圧を制御するレギュレータ手段と、前記第１電源の出力状態を監視する監視手段と、前記監視手段の監視結果に基づいて前記レギュレータ手段に与える監視電圧を前記第１電源の電圧から前記第２電源の電圧に切り替える切替手段とを備えた電源装置と、前記第２電源より電圧を供給され、負荷を制御する過程で学習データを得るマイクロコンピュータと、前記第１電源より電圧を供給され、前記学習データを保存するメモリと、を備えた電子制御装置である。
この発明によれば、第１電源の出力状態を監視し、この監視手段の監視結果に基づいて、第１電源が何らの原因で規定値以下の電圧しか出力できない状態となっている場合には、レギュレータ手段に与える監視電圧を第１電源の電圧から第２電源の電圧に切り替える。その結果、第２電源の電圧上昇が抑制され、接続される負荷回路の破壊を防止できる。
【補正により増加する請求項数】   ４